【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
周辺デバイスの周辺機器機能プロトコル（ＰＦＰ）が認識されていないことを決定することと、ここにおいて、前記認識されていないＰＦＰは、プロプライエタリＰＦＰを備える、
前記認識されていないＰＦＰを有する前記周辺デバイスに、少なくとも１つのサービス発見パラメータを要求することと、前記少なくとも１つのサービス発見パラメータは、トランスポートプロトコル識別子またはポート識別子を備える、
前記要求することに応答して、前記周辺デバイスから前記少なくとも１つのサービス発見パラメータを受信することと、
サービス発見情報を送信することと、前記サービス発見情報は、前記周辺デバイスから受信された前記少なくとも１つのサービス発見パラメータに少なくとも部分的に基づく、
を備える、方法。
【請求項２】
前記受信された少なくとも１つのサービス発見パラメータをリパッケージすることによって、前記サービス発見情報を生成すること
をさらに備える、請求項１に記載の方法。
【請求項３】
前記サービス発見情報に少なくとも部分的に基づいて、ワイヤレスドッキーと前記周辺デバイスとの間の接続を容易にすること
をさらに備える、請求項１に記載の方法。
【請求項４】
前記周辺デバイスからの前記少なくとも１つのサービス発見パラメータは、前記トランスポートプロトコル識別子と前記ポート識別子との両方を備える、請求項１に記載の方法。
【請求項５】
前記周辺デバイスからの前記少なくとも１つのサービス発見パラメータはさらに、
前記周辺デバイスに関連する認識されていないＰＦＰのＰＦＰ名、前記周辺デバイスに関連する広告識別子、前記周辺デバイスに関連するサービス名、前記周辺デバイスに関連するネットワークアドレス、前記周辺デバイスに関連するアプリケーションサービス情報データ、または前記周辺デバイスに関連するネットワーク役割
のうちの少なくとも１つを備える、請求項１に記載の方法。
【請求項６】
ワイヤレスドッキングステーション装置であって、
周辺デバイスの周辺機器機能プロトコル（ＰＦＰ）が認識されていないことを決定するためのサービス発見マネージャと、ここにおいて、前記認識されていないＰＦＰは、プロプライエタリＰＦＰを備える、
前記認識されていないＰＦＰを有する前記周辺デバイスの少なくとも１つのサービス発見パラメータを求める要求を生成するためのパラメータリクエスタと、前記少なくとも１つのサービス発見パラメータは、トランスポートプロトコル識別子またはポート識別子を備える、
前記パラメータリクエスタからの前記要求に応答して、前記周辺デバイスから前記少なくとも１つのサービス発見パラメータを受信するためのパラメータ受信機と、
サービス発見情報をワイヤレスドッキーに送信するための送信機と、前記サービス発見情報は、前記周辺デバイスから受信された前記少なくとも１つのサービス発見パラメータに少なくとも部分的に基づく、
を備える、ワイヤレスドッキングステーション装置。
【請求項７】
前記周辺デバイスから受信された前記少なくとも１つのサービス発見パラメータをリパッケージすることによって、前記サービス発見情報を生成するためのパラメータリパッケージャ
をさらに備える、請求項６に記載のワイヤレスドッキングステーション装置。
【請求項８】
前記サービス発見情報に少なくとも部分的に基づいて、前記ワイヤレスドッキーと前記周辺デバイスとの間の接続を容易にするためのアンテナ
をさらに備える、請求項６に記載のワイヤレスドッキングステーション装置。
【請求項９】
前記周辺デバイスからの前記少なくとも１つのサービス発見パラメータは、前記トランスポートプロトコル識別子と前記ポート識別子との両方を備える、請求項６に記載のワイヤレスドッキングステーション装置。
【請求項１０】
前記周辺デバイスからの前記少なくとも１つのサービス発見パラメータはさらに、
前記周辺デバイスに関連する認識されていないＰＦＰのＰＦＰ名、前記周辺デバイスに関連する広告識別子、前記周辺デバイスに関連するサービス名、前記周辺デバイスに関連するネットワークアドレス、前記周辺デバイスに関連するアプリケーションサービス情報データ、または前記周辺デバイスに関連するネットワーク役割
のうちの少なくとも１つを備える、請求項６に記載のワイヤレスドッキングステーション装置。
【請求項１１】
ワイヤレスドッキングステーション装置であって、
周辺デバイスのＰＦＰが認識されていないことを決定するための手段と、ここにおいて、前記認識されていないＰＦＰは、プロプライエタリＰＦＰを備える、
前記認識されていないＰＦＰを有する前記周辺デバイスの少なくとも１つのサービス発見パラメータを求める要求を生成するための手段と、前記少なくとも１つのサービス発見パラメータは、トランスポートプロトコル識別子またはポート識別子を備える、
前記要求に応答して、前記周辺デバイスから前記少なくとも１つのサービス発見パラメータを受信するための手段と、
サービス発見情報をワイヤレスドッキーに送信するための手段と、前記サービス発見情報は、前記周辺デバイスから受信された前記少なくとも１つのサービス発見パラメータに少なくとも部分的に基づく、
を備える、ワイヤレスドッキングステーション装置。
【請求項１２】
前記周辺デバイスから受信された前記少なくとも１つのサービス発見パラメータをリパッケージすることによって、前記サービス発見情報を生成するための手段
をさらに備える、請求項１１に記載のワイヤレスドッキングステーション装置。
【請求項１３】
前記周辺デバイスからの前記少なくとも１つのサービス発見パラメータは、前記トランスポートプロトコル識別子と前記ポート識別子との両方を備える、請求項１１に記載のワイヤレスドッキングステーション装置。
【請求項１４】
コンピュータプログラム製品であって、
コンピュータ読み取り可能なプログラムコードを組み込んだ非一時的なコンピュータ読み取り可能な媒体を備え、前記コンピュータ読み取り可能なプログラムコードは、少なくとも１つのプロセッサに、
周辺デバイスのＰＦＰが認識されていないことを決定することと、ここにおいて、前記認識されていないＰＦＰは、プロプライエタリＰＦＰを備える、
前記認識されていない周辺機器機能プロトコル（ＰＦＰ）を有する前記周辺デバイスの少なくとも１つのサービス発見パラメータを求める要求を生成することと、前記少なくとも１つのサービス発見パラメータは、トランスポートプロトコル識別子またはポート識別子を備える、
前記要求に応答して、前記周辺デバイスから前記少なくとも１つのサービス発見パラメータを受信することと、
サービス発見情報を送信することと、前記サービス発見情報は、前記周辺デバイスから受信された前記少なくとも１つのサービス発見パラメータに少なくとも部分的に基づく、
を行わせる、コンピュータプログラム製品。
【請求項１５】
前記コンピュータ読み取り可能なプログラムコードはさらに、前記少なくとも１つのプロセッサに、
前記受信された少なくとも１つのサービス発見パラメータをリパッケージすることによって、前記サービス発見情報を生成すること
を行わせる、請求項１４に記載のコンピュータプログラム製品。
【請求項１６】
前記周辺デバイスからの前記少なくとも１つのサービス発見パラメータは、前記トランスポートプロトコル識別子と前記ポート識別子との両方を備える、請求項１４に記載のコンピュータプログラム製品。